(57)【要約】【課題】  エレベータ昇降路１７のピット２３や機械室床などに大きな引抜力をかけることなく、また主ロープ１４の反かご１５側のロープテンションが０でも動作可能なエレベータを実現すること。【解決手段】  本発明は、昇降路１７内を昇降するかご１５と、昇降路１７内に設置された方向転換シーブ２２と、昇降路上部に設置された駆動装置１と、両端部がかご１５に連結され駆動装置１のシーブ３及び方向転換シーブ２２を経由して無端状に配置された主ロープ１４を備えたものにおいて、駆動装置１を主ロープ１４の長手方向の一定領域を側方から押圧しつつ駆動する装置とした。これにより、主ロープ１４のかご１５側ロープテンションＴ１と反かご側ロープテンションＴ２に大きな差があっても、問題なく運転することができる。【選択図】      図１
2008050071.tif 000002
【特許請求の範囲】
【請求項１】
昇降路を昇降するかご、前記昇降路内に設置された方向転換シーブ、前記昇降路内又は昇降路に隣接して設置された機械室内に設置された駆動装置、両端部が前記かごに連結され前記駆動装置のシーブ及び前記方向転換シーブを経由して無端状に配置されたロープ状又はベルト状の張力部材を備えたものにおいて、
前記駆動装置は前記張力部材の長手方向の一定領域を側方から押圧しつつ駆動する装置であることを特徴とするエレベータ装置。
【請求項２】
前記張力部材の長手方向の一定領域を側方から押圧しつつ駆動する装置は、前記張力部材が巻き掛けられたシーブと、前記張力部材を前記シーブに押圧しつつ駆動する装置であることを特徴とする請求項１に記載のエレベータ装置。
【請求項３】
前記張力部材を前記シーブに押圧しつつ駆動する装置は、前記張力部材に圧設されつつ周回移動するベルトと、該ベルトの周回移動経路に沿って配設された複数のローラと、これらのローラの内少なくともひとつのローラを回転駆動する駆動モータとを備えていることを特徴とする請求項２に記載のエレベータ装置。
【発明の詳細な説明】
【技術分野】
【０００１】
本発明は、エレベータの駆動装置に関するものである。
【背景技術】
【０００２】
従来のエレベータ装置の例を図により説明する（特許文献１参照）。図５は典型的なトラクション式エレベータを示す概略図で、機械室１０にはモータ１１に駆動される主シーブ１２とそらせシーブ１３が設置され、これらのシーブ１２，１３に巻き掛けられた主ロープ１４の両端にはかご１５とカウンターウェイト１６が連結されている。１７は昇降路である。
この構造だと、カウンターウェイト１６が設置されているため、昇降路１７内にカウンターウェイト１６の設置スペースが必要であり、またカウンターウェイト１６の昇降を案内するガイドレールも設置しなければならない。
【０００３】
図６はカウンターウェイトを省略した巻胴式エレベータの例で、昇降路１７の下部に設置した機械室１０に、モータ１１，主ロープ１４を巻き付けるドラム１８を備えた巻上機１９を設置したものである。図５と同一符号は同一のものを示している。
この構成だとカウンターウェイトを省略できるが、ドラム１８が大きく、また巻上機１９に上方向への引き抜き力がかかるため、機械室１０の床面の強度を上げなければならない。更に主ロープ１４のドラム１８への巻き付け量にも制限があるため、低層用エレベータにしか使用できないという問題もある。
【０００４】
図７はトラクション式エレベータでありながらカウンターウエイト及びドラムを省略した例である。図６との相違点は、昇降路１７の下部にそらせシーブ２０，２１を設置するとともにドラム１８に代えて主シーブ１２を設け、主ロープ１４を無端状に配置したことである。
【０００５】
【特許文献１】特開昭６０−１６７８７５号公報
【発明の開示】
【発明が解決しようとする課題】
【０００６】
前記図７の構成であれば、カウンターウェイトを省略できるとともに、ドラムを使用する必要もなくなるが、図６の場合と同様に、巻上機１９に上方向への引き抜き力がかかるため、機械室１０の床面の強度を上げなければならないだけでなく、そらせシーブ２０，２１を設置しているため、昇降路１７の下部やピットにも大きな引き抜き力がかかる。更に主ロープ１４の全体に大きなテンションを掛けておかなければならないという問題もある。
【課題を解決するための手段】
【０００７】
本発明は、昇降路を昇降するかご、前記昇降路内に設置された方向転換シーブ、前記昇降路内又は昇降路に隣接して設置された機械室内に設置された駆動装置、両端部が前記かごに連結され前記駆動装置のシーブ及び前記方向転換シーブを経由して無端状に配置された主ロープ等の張力部材を備えたものにおいて、前記駆動装置を前記張力部材の長手方向の一定領域を側方から押圧しつつ駆動する装置としたものである。
また本発明は、前記張力部材の長手方向の一定領域を側方から押圧しつつ駆動する装置は、前記張力部材が巻き掛けられたシーブと、前記張力部材を前記シーブに押圧しつつ駆動する装置としたものである。
更に、前記張力部材を前記シーブに押圧しつつ駆動する装置は、前記張力部材に圧設されつつ周回移動するベルトと、該ベルトの周回移動経路に沿って配設された複数のローラと、これらのローラの内少なくともひとつのローラを回転駆動する駆動モータとを備えているものである。
【発明の効果】
【０００８】
本発明によれば、駆動装置部分で張力部材を支持できるので、張力部材全体に大きなテンションを掛ける必要がなく、また昇降路や機械室床に大きな引き抜き力がかかることもない。
【発明を実施するための最良の形態】
【０００９】
本発明の実施の形態を図１，２により説明する。図１は本実施形態を示す全体概略図であり、１は昇降路１７の上部又は上部に配置された機械室に設けられた駆動装置、２２はピット２３に設けられた方向転換シーブ、図５と同一符合は同一のものを示している。本実施形態では駆動装置１で主ロープ１４を挟持することにより、かご１５側のロープテンションＴ１と反かご１５側のロープテンションＴ２とのアンバランスを保持している。したがって、ロープテンションＴ１が大で、ロープテンションＴ２が０であってもエレベータの運転を可能にしている。
【００１０】
この駆動装置１は、図２に示すように、フレーム２にシーブ３を取り付けると共に、該シーブ３の上方と両側の３箇所にローラ４，５，６を配置し、これらのローラ４，５，６にベルト７を張設して、該ベルト７によってシーブ３に巻き付けられた主ロープ１４をシーブ３に向けて押圧する。上方のローラ４にはフレーム２の背面に取り付けられたモータ（図示省略）が連結されている。また両側のローラ５，６はそれぞれ位置調節機構８によって高さ位置の調節が可能に取り付けられており、高さ位置を調節することによってベルト７の張力を調節することができる。したがって、ベルト７の張力を十分な大きさにしておけば、ロープテンションＴ２が０であっても主ロープ１４がすべることなく、エレベータを運転することができる。
【００１１】
図３は、他の駆動装置３０の構成を示す図である。図において、５１はハウジングで、内部に原動側ベルト駆動機構Ｍａと従動側ベルト駆動機構Ｍｂを備えている。原動側ベルト駆動機構Ｍａは、ロープ１４に沿って配置された一対のローラ５３，５４間に主ベルト３１を張設した構成の主ベルト伝動機構と、一方のローラ５３を回転駆動する駆動モータ５２と、主ベルト３１の内側に配置された一対のローラ６４，６５間に副ベルト６２を張設した構成の副ベルト伝動機構と、副ベルト６２の内側に配置された複数の押圧ローラ６８とを備えている。
【００１２】
一方、従動側にベルト伝動機構Ｍｂは、主ロープ１４に沿って配置された一対のローラ５５，５６間に主ベルト６１を張設した構成の主ベルト伝動機構と、主ベルト６１の内側に配置された一対のローラ６６，６７間に副ベルト６３を張設した構成の副ベルト伝動機構と、副ベルト６３の内側に配置された複数の受けローラ６９とを備えている。
尚、両ベルト機構Ｍａ，Ｍｂにおいて、副ベルト６２，６３の主ロープ１４側の外周面が、主ベルト３１，６１の主ロープ１４側の内周面に密着している。
【００１３】
この駆動装置３０は、シーブ３を使用していないため比較的小型化でき、主ロープ１４の色々な位置に配置することができる。例えば、図４に示すように、昇降路１７の上部に方向転換シーブ４１，４２、同じく下部に方向転換シーブ４３，４４を配置したエレベータにおいては、方向転換シーブ４１，４２間３０ａ，方向転換シーブ４１又は４２の直下３０ｂ，３０ｃ、方向転換シーブ４３，４４の間３０ｄなど、かご１５の昇降の妨げにならない位置であれば任意の位置に設置することができる。尚、図２の駆動装置１もかご１５の昇降の妨げにならない位置で設置スペースが確保できれば、同様に設置することができる。
【００１４】
以上説明したように、本実施の形態は駆動装置として主ロープの長手方向の一定領域を側方から押圧して駆動する装置を使用しているため、主ロープ１４のかご１５側と反かご１５側のロープテンションが相違していても正常に動作することができる。したがって、カウンターウェイトを省略したエレベータを実現することができる。
尚、図３の実施の形態において、主ベルト３１，６１の内側の副ベルト６２，６３を省略し、ローラ６４，６５，６８で直接主ベルト３１を主ロープ１４に押圧し、ローラ６６，６７，６９で直接主ベルト６１を主ロープ１４に押圧する構成にしてもよい。
更に、前記の各実施の形態では、張力部材として主ロープ１４を使用しているが、ベルト状の部材を使用することもできる。
【図面の簡単な説明】
【００１５】
【図１】本発明の実施の形態を示す全体概略図である。
【図２】本発明の実施の形態の駆動装置を示す図である。
【図３】本発明の実施の形態の他の駆動装置を示す図である。
【図４】本発明の他の実施の形態を示す全体概略図である。
【図５】従来のトラクション式エレベータを示す概略図である。
【図６】従来の巻胴式エレベータを示す概略図である。
【図７】従来のカウンターウェイトを省略したトラクション式エレベータを示す概略図である。
【符号の説明】
【００１６】
１，３０  駆動装置
３  シーブ
４，５，６  ローラ
７  ベルト
１４  主ロープ（張力部材）
１５  かご
１７  昇降路
２２，４１，４２，４３，４４  方向転換シーブ
【図１】
2008050071.tif 000003
【図２】
2008050071.tif 000004
【図３】
2008050071.tif 000005
【図４】
2008050071.tif 000006
【図５】
2008050071.tif 000007
【図６】
2008050071.tif 000008
【図７】
2008050071.tif 000009